(57)【要約】【課題】放熱方向を変えることで、放熱効果を高める電子機器の放熱装置を提供する。【解決手段】座体、放熱モジュールなどを含み、該座体には貫通する穴と、表面に複数の放熱片体、底部には発熱源に固定する固定装置を設けており、固定装置は夾持体を介して電路板の発熱源を挟み、螺子で座体底部に固定する。座体の穴には放熱モジュールの導熱管の片端を嵌入し、導熱管のもう片端を座体の外側に延伸し、放熱部材に挿入する。放熱部材は座体の外側にあるため、発熱源の熱を導熱管を使って放熱部材のところまで送り、座体の放熱を助ける。発熱源の熱を放熱モジュールから排出し、放熱装置から遠ざけることで、素早く放熱の効果を高める。【選択図】  図2
0003126140.tif 000002
【実用新案登録請求の範囲】
【請求項１】
座体、放熱モジュールを含み、
前記座体には発熱源を固定する固定装置及び、該座体を貫通する穴を有し、この穴は導熱管の吸熱部分を嵌入して位置付けをし、前記座体と導熱管の片端にある吸熱部分を電路板の発熱源の上方に固定し、
前記導熱管を前記電路板の外部まで延伸してカーブを描いた別の片端に冷却部を設け、該冷却部が前記電路板の縁から少し離れて電路板の縁と平行を保ち、且つ前記冷却部は前記座体とも平行を保つように設置する放熱モジュールを有することを特徴とする電子機器の放熱装置。
【請求項２】
前記座体に設置した固定装置は、前記電路板にある発熱源の夾持体を挟むことができ、該夾持体を複数の螺子で座体に固定することを特徴とする請求項1記載の電子機器の放熱装置。
【請求項３】
前記放熱モジュールの導熱管を電路板から外部に延伸し、L字型或いはU字型に彎曲した先端に冷却部を設けることを特徴とする請求項1記載の電子機器の放熱装置。
【請求項４】
前記放熱モジュールの導熱管の片端にある冷却部を放熱部材に嵌入し、且つ該放熱部材には、冷却部を嵌入するための穴を設けていることを特徴とする請求項1記載の電子機器の放熱装置。
【請求項５】
前記放熱モジュールの導熱管の片端にある放熱部材には、複数の放熱フィンを有し、複数の放熱フィンを固定部品で固定し、且つ該固定部品は定置部材を用いて、前記座体の片側に位置付けることを特徴とする請求項1記載の電子機器の放熱装置。
【請求項６】
前記放熱モジュールには、一個以上の導熱管を設けることが可能であり、複数の導熱管の冷却部を放熱部材に挿入することを特徴とする請求項1記載の電子機器の放熱装置。
【考案の詳細な説明】
【技術分野】
【０００１】
本考案は、電路板にある発熱源から発せられた熱を排出し、迅速に放熱効果を達することが可能な電子機器の放熱装置に関する。
【背景技術】
【０００２】
テクノロジーが日進月歩している今日、パーソナルコンピューターやPDA、ノート型パソコンの計算処理能力が優れ、スピードも速いため、各業種にて普遍的に運用されている上、インターネットの時代によりコンピューターの普及化をもたらしている。コンピューター内にあるチップは、使用時に熱を発生する発熱部品であり、作動スピードが速いほど、発生する熱が高く、高熱によってチップが破損し、チップの寿命を縮めることがある。このような寿命の短縮を免れるため、各チップに放熱片を設けることで、チップから発生した熱を放熱片に送り、ファンを使って冷却風を放熱片の間に送って放熱を行っている。しかしながら、放熱効果を高めるには、発熱部品の発熱源に管を設け、管の片端を発熱部品の発熱部分に固定し、もう片端には放熱を助ける放熱片を設け、管の片端から吸収した熱が管を通じて反対側の端に送られる。そして、管の別の端に設置した放熱片が、管内にある熱を排出し、吸熱機能を保つために、管の温度が上がり過ぎないようにしている。
【０００３】
従来の放熱装置として台湾実用新案登録第M288399号『放熱装置』を示す。この放熱装置は、2005年9月16日に実用新案登録を出願し、出願番号は第94216019号であり、2006年3月1日付けの公報に掲載されている。第6図に示すのは、この従来の放熱装置の立体外観図である。放熱モジュールAは、複数の平行に並んだ放熱フィンA1によって組成している。複数の導熱管Bの片端は、放熱モジュールAに固定され、該導熱管Bの片端を吸熱モジュールCの中に配置し、発熱部材D1と吸熱モジュールCを外側にある夾具Dで挟み、固定モジュールEは発熱部品D1と吸熱モジュールCの間に設置し、発熱部材D1と吸熱モジュールCの二つを固定している。
【０００４】
しかしながら、前記従来の放熱装置を使用する際に、多くの不都合が生じている。
【０００５】
放熱モジュールAは、発熱部品D1のあるインターフェイスカードFに対し垂直状態を呈するため、インターフェイスカードの高さが高くなり、インターフェイスカードFをマザーボードに差し込む際、比較的多くのスペースを占領するため、マザーボードの電子部品の設置や他のインターフェイスカードFの差込に影響をもたらす。
【０００６】
放熱モジュールAは、インターフェイスカードFと垂直に呈するため、放熱モジュールAがインターフェイスカードFによって遮られ、マザーボードにあるファンの風が通らないため、放熱モジュールAの放熱効果が悪く、熱を放散しにくい。
【０００７】
一方、台湾において公告された実用新案第M267834号の『ディスプレイカードプロセッシングユニットの放熱器』は、2004年12月2日に出願され、出願番号は第93219389号であり、2005年6月11日に公報に掲載されている。第7図にこの従来の放熱装置を示している。この放熱装置は、放熱器Gに導熱座体G1があり、導熱座体G1の一面は接触面のG11である。反対側には導熱ブロックG12を形成し、接触面G11をディスプレイカードHのCPUのH1にあてがう。導熱管G2の片端はそれぞれ導熱ブロックG12を突き抜けて固定している。導熱管G2には彎曲した角G21があり、導熱管G2の端G22は、コンピューターのケース外部まで延伸し、導熱管G2の端G22に放熱フィンKを固定している。しかしながら、前記従来のディスプレイカードHの放熱器Gを使用する際には、多くの欠点が見受けられる。
【０００８】
放熱器Gの導熱管G2が長いため、導熱管G2にある端G22の放熱フィンKが放熱器Gと距離があるため、導熱管G2が導熱座体G1に熱を伝えるスピードと機能に影響する。
【０００９】
導熱管G2は、ディスプレイカードHのサイドに垂直に設置しているため、ディプレイカードHの高さが高くなり、ディスプレイカードHをマザーボードに差し込む際、マザーボードのスペースを多く占領し、他のディスプレイカードHの差込に影響を来たす。
【００１０】
導熱管G2の端G22は、コンピューターケースの外部にまで延伸し、端G22には放熱フィンKを固定している。放熱フィンKは外部の温度変化を受け易く、放熱の効果に影響を来たすだけでなく、埃やチリが積もるため、放熱フィンKの放熱効果が悪くなる。
【００１１】
上記の従来の放熱モジュールと放熱器は、設計上の欠点により、インターフェイスカードの高さが増し、マザーボードのスペースを過多に占領し、マザーボードのスペース利用や他のインターフェイスカードの差込に影響を来たすため、理想的な効果ではない。  
上記従来の放熱モジュールや放熱器の設計上の欠点に鑑みて、本考案は電子機器の放熱装置を改良し、放熱効果を高めることにある。
【特許文献１】台湾実用新案登録第M288399号
【特許文献２】公告された台湾実用新案第M267834号
【考案の開示】
【考案が解決しようとする課題】
【００１２】
上記の欠点に鑑みて、適切に角度を変えることで、電路板の過多なスペースを占領しない電子機器の放熱装置を提供する。
【００１３】
本考案の主な目的は、放熱効果を高める放熱装置であって、座体に穴を開け、底部には固定装置を設置し、該固定装置の夾持体を介して電路板にある発熱源を挟む。前記座体の穴は放熱モジュールの導熱管の片端を嵌入し、もう片端は座体の外側まで延伸し、放熱部材を通すことで、該放熱部材は座体の外側に位置し、相互が垂直に交わることで、発熱源の熱が導熱管を通じて放熱部材まで送り込まれ、前記座体の放熱を補助することで、発熱源にある熱を放熱装置から離れた放熱モジュールを通じて放熱することができ、素早く放熱することができ放熱効果を高めた電子機器の放熱装置を提供することにある。
【００１４】
本考案のもう一つの目的は、放熱効果を高める電子機器の放熱装置であって、座体が電路板を挟み、放熱部材の導熱管を電路板の片側から少し延伸して彎曲することで、導熱管は電路板の側面と平行を保ち、前記導熱管の冷却部を放熱部材に通してファンの冷却風を受けて素早く放熱することができ放熱効果を高める電子機器の放熱装置を提供することにある。
【課題を解決するための手段】
【００１５】
上述の目的と効果を達するために、本考案の一態様による電子機器の放熱装置は、  座体、放熱モジュールを含み、
前記座体には発熱源を固定する固定装置及び、該座体を貫通する穴を有し、この穴は導熱管の吸熱部分を嵌入して位置付けをし、前記座体と導熱管の片端にある吸熱部分を電路板の発熱源の上方に固定し、
前記導熱管を前記電路板の外部まで延伸してカーブを描いた別の片端に冷却部を設け、該冷却部が前記電路板の縁から少し離れて電路板の縁と平行を保ち、且つ前記冷却部は前記座体とも平行を保つように設置する放熱モジュールを有することを特徴とする。
【考案の効果】
【００１６】
本考案によれば、発熱源の熱が導熱管を通じて放熱部材まで送り込まれ、前記座体の放熱を補助することで、発熱源にある熱を放熱装置から離れた放熱モジュールを通じて放熱することができ、素早く放熱することができる。
【００１７】
また、座体が電路板を挟み、放熱部材の導熱管を電路板の片側から少し延伸して彎曲することで、導熱管は電路板の側面と平行を保ち、前記導熱管の冷却部を放熱部材に通してファンの冷却風を受けて素早く放熱することができ放熱効果を高めることができる。
【考案を実施するための最良の形態】
【００１８】
以下、図面を参照して本考案の実施例を説明する。
【００１９】
図1.2.3に示すのは、本考案の一実施例を示す立体外観図、立体分解図、背面立体図である。一実施例の電子機器の放熱装置は、座体1、放熱モジュール2及び各部材によって組み立てられている。
【００２０】
前記座体1内には貫通する穴11があり、その表面には突出した複数の放熱片体12を、底部には固定装置13をそれぞれ設けている。この固定装置13には夾持体131があり、この夾持体131は上夾持体1311と下夾持体1312とに分けられ、該上下夾持体1311、1312は、螺子1313を使って座体1の底部に固定されている。
【００２１】
前記放熱モジュール2は導熱管21、放熱部材22及び固定部品23によって組み立てられている。前記導熱管21はL字型或いはU字型を呈し、その片端は嵌接部211、もう片端は冷却部212であり、この冷却部212を放熱部材22に通す。前記放熱部材22は複数の放熱フィン221があり、各放熱フィン221の一枚一枚には穴2211を開け、その穴2211から導熱管21の冷却部212を挿入するようになっている。前記複数の放熱フィン221の向かい合う外側にそれぞれ溝2212を設け、各溝2212に固定部品23と対称となっている一対のアーム231を嵌入し、複数の放熱フィン221がそれぞれ固定部品23の上に位置決めできる。該固定部品23の片側には、定置部材232が設置されている。
【００２２】
前記の各部材を組み立てる時は、前記座体1の穴11を介し放熱モジュール2の導熱管21を嵌接部211から嵌入して、前記定置部材232で放熱モジュール2を座体1のサイドに固定する。且つ、前記導熱管21の片端にある冷却部は座体1の外側に延伸して彎曲状を形成し、更に冷却部212を放熱部品22に挿入する。この放熱部材22は、導熱管21がL字型或いはU字型に彎曲しているため、該放熱部材22の複数ある放熱フィン221は、座体1にある放熱片体12と平行を保つ。また、前記座体1の底部は固定装置13の夾持体131を利用して、螺子1313を使って固定して放熱装置が組み立てられる。
【００２３】
前記の放熱モジュール2は、一個以上の導熱管21を設置することができ、複数の導熱管21の冷却部212を放熱部品22に挿入することにより、複数の導熱管21を使って吸熱して冷却部212に送り、放熱部材22より放熱を行うことができ、素早く放熱する目的を達する。
【００２４】
第4、5図に示すのは、本考案のベストな実施例の立体外観図と側面図である。本実施例の座体1と放熱モジュール2は、予め外部に設置した電路板(インターフェイスカード)3に固定し、座体1の底部にある夾持体13の上夾持体1311と下夾持体1312を使って、電路板3の発熱源31の上下を挟み、螺子1313で上下夾持体1311、1312及び電路板を固定することで、座体1が電路板3の上方に位置決めされ、放熱モジュール2の導熱管21の冷却部212が電路板3のサイドから延伸し、L字型或いはU字型に彎曲することで、導熱管21を電路板3のサイドから少し離しつつ、電路板3のサイドと平行を保つ。且つ、前記導熱管21冷却部212を複数の放熱フィン221に挿入して座体1と平行を呈し、前記の電路板3のサイドに設置することで、電路板3サイドのスペースを有効利用し、電路板(インターフェイス)3の幅を縮めることができる。よって、電路板(インターフェイスカード)3をマザーボードに差し込む際、過多のスペースを占領することがなく、同時に他の隣接する電路板(インターフェイスカード)3を阻害することもないため、電子製品の求める軽い、薄い、短いデザインに合致する。
【００２５】
放熱モジュールが電路板(インターフェイスカード)3の外側まで延伸し、放熱の方向を変える。一方、放熱モジュール2にある複数の放熱フィン221は電路板3と平行を保つため、外側にあるファンの冷却風が電路板3を通過した時、同時に複数の放熱フィン221をも通過するため、放熱フィン221にある熱を一緒に放熱し、放熱モジュール2を介し、素早く放熱することができる。電路板3にある発熱源31の熱を吸収した後、発熱源31から離れた外側方向で放熱することで、素早く放熱する目的を達することができる。
【００２６】
以上は本考案のベストな実施例のみであり、本考案の範囲を制限するものではない。本考案の電子機器の放熱装置は、座体1の外側に放熱モジュール2を設置し、且つ座体1と放熱モジュール2は非平行の向きで結合し、座体1の底部にある固定装置13を使って、外部にある電路板(インターフェイスカード)3を固定する。放熱モジュール2の導熱管21を電路板3サイドから少し距離を離し、平行状を呈する。更に、導熱管21の冷却部212を挿入する複数の放熱部材22を座体と平行を保たせ、放熱モジュール2が座体1と電路板3の外部にまで延伸することで、電路板3のサイドのスペースを有効利用し、電路板3の幅を縮めるため、過多に外部のマザーボードを占領することもない。且つ、電路板(インターフェイスカード)3をマザーボードに差し込む際も、近隣の電路板(インターフェイスカード)3を阻害することもない。本考案の実施態様に対して、簡易に修正しても同じ効果をもたらす仕組みはいずれも本考案の範囲に含まれる。
【００２７】
上述の本考案の実施例における電子機器の放熱装置のメリットを下記に記す。
【００２８】
座体1の外側には放熱モジュール2が設置され、座体1と放熱モジュール2の間は非平行状で連結することで放熱の方向を変える。座体1を電路板(インターフェイスカード)3に固定し、放熱モジュール2の導熱管21をL字型或いはU字型に彎曲して電路板3のサイドから少し離す。そうすることで、電路板3のサイドと平行状を呈するため、電路板3サイド外部のスペースを有効利用でき、電路板3の幅を縮めることで、電子機器が求める軽い、薄い、短い、小さいデザインに合致する。
【００２９】
放熱モジュール2を近隣する座体1のサイドに設置しているため、放熱モジュール2は素早く座体1の熱を吸収して排出することで、良好な放熱効果をもたらす。
【００３０】
放熱モジュール2が電路板(インターフェイスカード)3と平行状を呈し、外部のファンの冷却風が電路板3を通過する時、同時に放熱モジュール2をも通過するため、放熱モジュール2が素早く放熱できるよう補助している。
【００３１】
本考案は、主に電路板(インターフェイスカード)にある放熱装置の構造設計についてである。放熱装置の座体を電路板に固定し、放熱モジュールを電路板及び座体の外側に延伸して設置することがメインポイントである。放熱モジュールと電路板が平行を呈するように設置することで、放熱方向を変え、電路板の幅を縮ませるだけで、電子機器の求めるデザインに合致すると共に、素早く放熱する。且つ、外部のファンの冷却風が電路板を通過する時、同時に放熱モジュールの熱を放熱し、電路板で生じた熱を素早く放出する。上記は本考案のベストな実施例のみであり、本考案の範囲を制限するものではない。本考案説明書及び図面内容を簡易に修正し、同じ効果をもたらす仕組みの変化はいずれも本考案の範囲に含まれる。
【図面の簡単な説明】
【００３２】
【図１】本考案の一実施例を示す立体外観図である。
【図２】一実施例の立体分解図である。
【図３】一実施例の背面立体図である。
【図４】本考案のベストな実施例の立体外観図である。
【図５】本考案のベストな実施例の側面図である。
【図６】従来の放熱装置の立体分解図である。
【図７】別の従来の放熱装置の立体外観図である。
【符号の説明】
【００３３】
1     座体
11    穴 
12    放熱片体
13    固定装置
131   夾持体
1311  上夾持体
1312  下夾持体
1313  螺子
2     放熱モジュール
21    導熱管
211   嵌接部
212   冷却部
22    放熱部材
221   放熱フィン
2211  穴
2212  溝
23    固定部品
231   アーム
232   定置部材
3    電路板
31   発熱源
A    放熱モジュール
A1   放熱フィン
B    導熱管
C    吸熱モジュール
D    夾具
D1   発熱部品
E    固定モジュール
F    インターフェイスカード
G    放熱器
G1   導熱座体
G11  接触面
G12  導熱ブロック
G2   導熱管
G21  彎曲角
G22  端
H    ディスプレイカード
H1   CPU
K    放熱フィン
【図１】
0003126140.tif 000003
【図２】
0003126140.tif 000004
【図３】
0003126140.tif 000005
【図４】
0003126140.tif 000006
【図５】
0003126140.tif 000007
【図６】
0003126140.tif 000008
【図７】
0003126140.tif 000009